(57)【要約】【課題】機密性の高い画像を保持している場合に、セキュリティー機能をより高くする。【解決手段】撮影された位置の情報を含む撮影情報とともに画像データが記録媒体５０に記録された状態でデジタルカメラ１０７が持ち出され、ＧＰＳユニット３３によりＧＰＳ情報を取得した結果、現在位置がユーザにより予め設定された許可領域の範囲外に出た場合には、該当する画像データをコピーしてサーバーに送信し、送信した画像データを記録媒体９０から削除するようにして、機密性の高い画像データがＰＣなどに転送されて画像を表示できないようにする。【選択図】図１
2013046284.tif 000002
【特許請求の範囲】
【請求項１】
画像データを記録媒体に保持する情報処理装置であって、
前記情報処理装置の位置を検出する位置検出手段と、
前記位置検出手段により検出された位置が所定の条件を満たす場合に、前記記録媒体に保持されている画像データを外部装置に送信する通信手段と、
前記通信手段により送信した画像データを前記記録媒体から削除する削除手段とを有することを特徴とする情報処理装置。
【請求項２】
前記通信手段により前記画像データを送信した後に、前記位置検出手段により検出された位置が前記所定の条件を満たさなくなった場合に、前記通信手段は、前記画像データを前記情報処理装置に送信する要求を前記外部装置に送信し、前記送信を要求した画像データを受信することを特徴とする請求項１に記載の情報処理装置。
【請求項３】
ユーザの操作に応じて画像データの再生を許可する許可領域を設定する設定手段をさらに有し、
前記所定の条件とは、前記設定手段により設定された許可領域外であることを特徴とする請求項１又は２に記載の情報処理装置。
【請求項４】
ユーザの操作に応じて画像データの再生を禁止する禁止領域を設定する設定手段をさらに有し、
前記所定の条件とは、前記設定手段により設定された禁止領域内であることを特徴とする請求項１又は２に記載の情報処理装置。
【請求項５】
前記設定手段は、画像ごとに領域を設定することを特徴とする請求項３又は４に記載の情報処理装置。
【請求項６】
前記所定の条件とは、前記所定の条件に関わる画像データの撮影位置から所定の距離以上であることを特徴とする請求項１又は２に記載の情報処理装置。
【請求項７】
画像データを記録媒体に保持する情報処理装置であって、
前記情報処理装置が画像データを外部装置に送信すべき領域に入ったことを示す信号を受信する受信手段と、
前記受信手段により前記信号を受信した場合に、前記送信すべき対象となる画像データを前記外部装置に送信する通信手段と、
前記通信手段により送信した画像データを前記記録媒体から削除する削除手段とを有することを特徴とする情報処理装置。
【請求項８】
前記受信手段は、前記通信手段により前記送信すべき対象となる画像データを送信した後に、さらに、前記情報処理装置が前記画像データを外部装置から受信すべき領域に入ったことを示す信号を受信し、
前記通信手段は、前記受信手段により前記画像データを外部装置から受信すべき領域に入ったことを示す信号を受信したことに応じて、前記画像データを前記情報処理装置に送信する要求を前記外部装置に送信し、前記送信を要求した画像データを受信することを特徴とする請求項７に記載の情報処理装置。
【請求項９】
前記通信手段により受信された画像データを前記記録媒体に記録する記録手段をさらに有することを特徴とする請求項１〜８の何れか１項に記載の情報処理装置。
【請求項１０】
画像データを記録媒体に保持する情報処理装置の情報処理方法であって、
前記情報処理装置の位置を検出する位置検出工程と、
前記位置検出工程において検出された位置が所定の条件を満たす場合に、前記記録媒体に保持されている画像データを外部装置に送信する通信工程と、
前記通信工程において送信した画像データを前記記録媒体から削除する削除工程とを有することを特徴とする情報処理方法。
【請求項１１】
画像データを記録媒体に保持する情報処理装置の情報処理方法であって、
前記情報処理装置が画像データを外部装置に送信すべき領域に入ったことを示す信号を受信する受信工程と、
前記受信工程において前記信号を受信した場合に、前記送信すべき対象となる画像データを前記外部装置に送信する通信工程と、
前記通信工程において送信した画像データを前記記録媒体から削除する削除工程とを有することを特徴とする情報処理方法。
【請求項１２】
画像データを記録媒体に保持する情報処理装置を制御するためのプログラムであって、
前記情報処理装置の位置を検出する位置検出工程と、
前記位置検出工程において検出された位置が所定の条件を満たす場合に、前記記録媒体に保持されている画像データを外部装置に送信する通信工程と、
前記通信工程において送信した画像データを前記記録媒体から削除する削除工程とをコンピュータに実行させることを特徴とするプログラム。
【請求項１３】
画像データを記録媒体に保持する情報処理装置を制御するためのプログラムであって、
前記情報処理装置が画像データを外部装置に送信すべき領域に入ったことを示す信号を受信する受信工程と、
前記受信工程において前記信号を受信した場合に、前記送信すべき対象となる画像データを前記外部装置に送信する通信工程と、
前記通信工程において送信した画像データを前記記録媒体から削除する削除工程とをコンピュータに実行させることを特徴とするプログラム。
【発明の詳細な説明】
【技術分野】
【０００１】
本発明は情報処理装置、情報処理方法及びプログラムに関し、特に、機密性の高い画像の再生を防止するために用いて好適な技術に関する。
【背景技術】
【０００２】
従来、会社等の中で機密性の高い情報をデジタルカメラにより撮影した後に、デジタルカメラを会社外に持ち出して別の用途で使う場合があった。その際に、機密性の高い情報を含む画像については、会社外に持ち出す前に予め削除しておく必要があるが、これらの画像を消し忘れてしまうことがあった。このように機密性の高い情報を含む画像を消し忘れることを防ぐために、画像ごとに再生を許可または禁止する位置を記憶し、特定の場所に入ったら再生を禁止する技術が提案されている。
【先行技術文献】
【特許文献】
【０００３】
【特許文献１】特開２０１０−６２９０３号公報
【発明の概要】
【発明が解決しようとする課題】
【０００４】
しかし、従来の方法では、画像そのものはデジタルカメラに残っているため、特定の場所に持ち出して再生が禁止されている状態であっても、パーソナルコンピュータ（ＰＣ）に画像データを転送すると画像を表示することができる。したがって、セキュリティー機能が十分ではない。
【０００５】
本発明は前述の問題点に鑑み、機密性の高い画像を保持している場合に、セキュリティー機能をより高くすることを目的としている。
【課題を解決するための手段】
【０００６】
本発明の情報処理装置は、画像データを記録媒体に保持する情報処理装置であって、前記情報処理装置の位置を検出する位置検出手段と、前記位置検出手段により検出された位置が所定の条件を満たす場合に、前記記録媒体に保持されている画像データを外部装置に送信する通信手段と、前記通信手段により送信した画像データを前記記録媒体から削除する削除手段とを有することを特徴とする。
【発明の効果】
【０００７】
本発明によれば、ＰＣなどに転送して画像を表示することができないため、セキュリティー性をより高くすることができる。
【図面の簡単な説明】
【０００８】
【図１】実施形態に係るデジタルカメラの構成例を示すブロック図である。
【図２】第１の実施形態において、画像の表示を許可する領域を指定する手順の一例を示すフローチャートである。
【図３】図２のＳ２０２の処理により記憶される領域情報の一例を示す図である。
【図４】第１の実施形態において、画像を退避または復帰させる処理手順の一例を示すフローチャートである。
【図５】第２の実施形態において、画像の表示を許可する許可領域を画像ごとに指定する手順の一例を示すフローチャートである。
【図６】図５のＳ５０３の処理により記憶される領域情報の一例を示す図である。
【図７】第２の実施形態において、画像を退避または復帰させる処理手順の一例を示すフローチャートである。
【図８】第３の実施形態において、画像を退避または復帰させる処理手順の一例を示すフローチャートである。
【図９】第４の実施形態において、画像を退避させる処理手順の一例を示すフローチャートである。
【図１０】第４の実施形態において、画像を復帰させる処理手順の一例を示すフローチャートである。
【発明を実施するための形態】
【０００９】
以下、本発明の実施形態について、図面を参照しながら説明する。
（第１の実施形態）
図１は、本実施形態に係るデジタルカメラ１０７の構成例を示すブロック図である。
図１において、シャッター１２は絞り機能を備えており、撮像素子１４は光学像を電気信号に変換する。Ａ／Ｄ変換器１６は、撮像素子１４のアナログ信号出力をデジタル信号に変換する。
【００１０】
タイミング発生回路１８は、メモリ制御回路２２及びシステム制御回路５０により制御され、撮像素子１４、Ａ／Ｄ変換器１６、及びＤ／Ａ変換器２６にクロック信号や制御信号を供給する。画像処理回路２０は、Ａ／Ｄ変換器１６からのデータ或いはメモリ制御回路２２からのデータに対して所定の画素補間処理や色変換処理を行う。また、画像処理回路２０においては、撮像して得られた画像データを用いて所定の演算処理を行う。そして、得られた演算結果に基づいてシステム制御回路５０は、ＡＦ（オートフォーカス）処理、ＡＥ（自動露出）処理、及びＥＦ（フラッシュプリ発光）処理を制御する。さらに、画像処理回路２０においては、撮像して得られた画像データを用いて所定の演算処理を行い、得られた演算結果に基づいてＴＴＬ方式のＡＷＢ（オートホワイトバランス）処理も行う。
【００１１】
メモリ制御回路２２は、Ａ／Ｄ変換器１６、タイミング発生回路１８、画像処理回路２０、画像表示メモリ２４、Ｄ／Ａ変換器２６、メモリ３０及び圧縮・伸長回路３２を制御する。Ａ／Ｄ変換器１６からのデータは、画像処理回路２０及びメモリ制御回路２２を介して、或いはメモリ制御回路２２を直接介して、画像表示メモリ２４或いは第１のメモリ３０に書き込まれる。
【００１２】
外部出力コネクタ２７は、Ｄ／Ａ変換器２６からのデータを外部モニタに出力するためのものであり、例えば、ＨＤＭＩコネクタ等が用いられる。外部出力コネクタ２７にコネクタが挿入されている場合は、外部出力接続検知部９７によりシステム制御回路５０は外部出力状態であることを認識することができる。
【００１３】
画像表示部２８は、ＴＦＴ、ＬＣＤ等からなり、画像表示メモリ２４に書き込まれた表示用の画像データがＤ／Ａ変換器２６を介して画像表示部２８に表示される。このように画像表示部２８に撮影した画像を逐次表示すれば、ライブビュー機能を実現することができる。また、画像表示部２８には、不揮発性メモリ５６に格納された地図データを表示することもできる。さらに、画像表示部２８は、システム制御回路５０の指示により任意に表示がＯＮ／ＯＦＦに切り替えられ、表示をＯＦＦにした場合にはデジタルカメラ１０７の電力消費を大幅に低減することができる。
【００１４】
第１のメモリ３０は、撮像して得られた静止画像データや動画像データを格納するためのメモリであり、所定枚数の静止画像データや所定時間の動画像データを格納するのに十分な記憶量を備えている。これにより、複数枚の静止画像を連続して撮影する連写撮影やパノラマ撮影の場合にも、高速かつ大量に第１のメモリ３０に書き込むことが可能となる。また、第１のメモリ３０は、システム制御回路５０の作業領域として用いられ、記録媒体９０の書き込みバッファとしても用いられる。
【００１５】
圧縮・伸長回路３２は、適応離散コサイン変換（ＡＤＣＴ）等により画像データを圧縮伸長する回路であり、第１のメモリ３０に格納された画像データを読み出して圧縮処理或いは伸長処理を行い、処理を終えたデータを第１のメモリ３０に再度書き込む。
【００１６】
露光制御部４０は絞り機能を備えるシャッター１２を制御し、測距制御部４２は撮影レンズ１０のフォーカシングを制御し、ズーム制御部４４は撮影レンズ１０のズーミングを制御する。露光制御部４０及び測距制御部４２は、ＴＴＬ方式により制御されており、画像処理回路２０によって演算した演算結果に基づき、システム制御回路５０は、露光制御部４０及び測距制御部４２に対して制御を行う。
【００１７】
システム制御回路５０は、デジタルカメラ１０７全体の情報処理を制御する回路である。システム制御回路５０は、不揮発性メモリ５６に記録されたプログラムを実行することにより、後述する各処理を実現する。
【００１８】
第２のメモリ５２は、システム制御回路５０の動作用の定数や、変数、不揮発性メモリ５６から読み出したプログラム等を展開するメモリである。不揮発性メモリ５６は、電気的に消去・記録可能なメモリであり、例えばＥＥＰＲＯＭ等が用いられる。不揮発性メモリ５６には、システム制御回路５０の動作用の定数、後述する各種フローチャートの処理を実行するためのプログラム、地図データ等が記憶されている。
【００１９】
通信部５７は、ＲＳ２３２ＣやＵＳＢ、ＩＥＥＥ１３９４、モデム、ＬＡＮ、無線通信、赤外通信等の各種通信部により、他のコンピュータサーバーやプリンタ等の外部機器との間で画像データや特定の信号を送受信することができる。アンテナ５８は、通信部５７によりデジタルカメラ１０７と他の外部機器とを接続するコネクタとして機能し、無線通信の場合はアンテナとして機能する。
【００２０】
シャッタースイッチ（ＳＷ１）６２、シャッタースイッチ（ＳＷ２）６４及び操作部７０は、システム制御回路５０の各種の動作指示を入力するための操作部である。これらは、スイッチやダイアル、タッチパネル、視線検知によるポインティング、音声認識装置等の単数或いは複数の組み合わせにより構成されている。
【００２１】
シャッタースイッチ（ＳＷ１）６２は、シャッターボタンの操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作の開始を指示する。
【００２２】
一方、シャッタースイッチ（ＳＷ２）６４は、シャッターボタンの操作完了でＯＮとなり、撮像素子１４から読み出した信号を、Ａ／Ｄ変換器１６、メモリ制御回路２２を介して第１のメモリ３０に画像データとして書き込む露光処理の動作の開始を指示する。また、画像処理回路２０やメモリ制御回路２２での演算を用いた現像処理、第１のメモリ３０から画像データを読み出して圧縮・伸長回路３２で圧縮を行い、記録媒体９０に画像データを書き込む記録処理という一連の処理の動作開始を指示する。また動画像を撮影する場合は、動画像の撮影の開始・停止を指示する。
【００２３】
操作部７０は、各種ボタンやタッチパネル等からなる。具体的には、メニューボタン、セットボタン、マクロボタン、マルチ画面再生改ページボタン、フラッシュ設定ボタン、単写／連写／セルフタイマー切り替えボタン、メニュー移動＋（プラス）ボタン、メニュー移動−（マイナス）ボタンがある。また、再生画像移動＋（プラス）ボタン、再生画像−（マイナス）ボタン、撮影画質選択ボタン、露出補正ボタン、及び日付／時間設定ボタンがある。
【００２４】
さらに、操作部７０は、以下に示すものがある。
各種機能の選択及び切り替えを設定する選択／切り替えボタン。
各種機能の決定及び実行を設定する決定ボタン。
画像表示部２８のＯＮ／ＯＦＦを設定する表示ボタン。
撮影直後に撮影した画像データを自動再生するクイックレビュー機能を設定するクイックレビューＯＮ／ＯＦＦスイッチ。
撮影時にズームと広角を調節する、あるいは再生時に拡大／縮小を調節する、１画面表示／マルチ画面表示を切り替えるズーム操作部。
ＪＰＥＧ（Ｊｏｉｎｔ  Ｐｈｏｔｏｇｒａｐｈｉｃ  Ｅｘｐｅｒｔ  Ｇｒｏｕｐ）圧縮の圧縮率を選択するため、或いは撮像素子の信号をそのままデジタル化して記録媒体に記録するＣＣＤＲＡＷモードを選択するための圧縮モードスイッチ。
【００２５】
電源制御部８１は、電池の装着の有無、電池の種類、及び電池残量を検出し、検出結果及びシステム制御回路５０の指示に基づいて、必要な電圧を必要な期間、記録媒体９０を含む各部へ供給する。電源部８６は、アルカリ電池やリチウム電池等の一次電池やＮｉＣｄ電池やＮｉＭＨ電池、Ｌｉ電池等の二次電池、ＡＣアダプター等からなる。
【００２６】
インターフェース８０は、メモリカードやハードディスク等の記録媒体９０とのインターフェースである。インターフェースとしては、ＰＣＭＣＩＡカードやＣＦ（コンパクトフラッシュ（登録商標））カード等の規格に準拠したものを用いて構成してもよい。さらに、インターフェース８０に各種通信カードを接続することにより、他機器との間で画像データや画像データに付属した管理情報を転送し合うことができる。
【００２７】
保護部９３は、デジタルカメラ１０７の撮影レンズ１０を含む撮像部を覆うことにより、撮像部の汚れや破損を防止するバリアである。外部出力接続検知部９７は、外部出力コネクタ２７を介して外部モニタが接続されているかどうかを検知する。ここで、接続状態にあると検知した場合は画像表示部２８の代わりに外部モニタを表示装置として用いることができる。
【００２８】
マイク端子９４は、外部マイクから音声データを取得する。音声Ａ／Ｄ変換器９５は、マイク端子９４で得られた音声データをシステム制御回路５０で取得するためにＡ／Ｄ変換を行う。記録媒体９０はメモリカードやハードディスク等の記録媒体である。また、この記録媒体９０がＰＣＭＣＩＡカードやＣＦ等の場合は、情報記憶回路を内蔵しているものであってもよい。
【００２９】
ＧＰＳアンテナ３４は、ＧＰＳ衛星からの電波を受信するアンテナであり、ＧＰＳユニット３３は位置検出手段として機能し、その受信データから演算を行い、現在の位置を検出するためのＧＰＳユニットである。検出した位置情報は、画像の撮影時に取得し、得られたた画像データのヘッダ領域に付加して記録媒体９０に記録される。また、システム制御回路５０は不揮発性メモリ５６から地図データが読み出し、位置情報として画像が撮影した場所を地図に上書きして画像表示部２８に表示することができる。なお、位置情報はＧＰＳ以外にも、ジャイロや無線ＬＡＮ基地局からの信号などから取得してもよい。
【００３０】
次に、本実施形態における動作について説明する。
図２は、デジタルカメラ１０７において、画像の表示を許可する領域を指定する手順の一例を示すフローチャートである。
まず、Ｓ２０１において、システム制御回路５０は、不揮発性メモリ５６に格納されている地図データを読み出し、その地図を画像表示部２８に表示する。これによりユーザは、表示されている地図を見ながら操作部７０を操作し、地図上に示される条件となる領域を、例えば矩形などで囲って指定することができる。そして、Ｓ２０２において、システム制御回路５０により操作部７０を介して指示された領域情報を不揮発性メモリ５６に記憶する。
【００３１】
図３は、図２のＳ２０２の処理により記憶される領域情報の一例を示す図である。
図３において、領域名３０１は、領域の名称を表し、領域３０２は、表示を許可する許可領域の隅の地点の情報を表している。例えば領域Ａは、（東経１２０，北緯４５）の地点を左隅とし、（東経１３０，北緯４０）の地点を右隅とする矩形領域を表している。同様に、領域Ｂは、（東経１４５，北緯３０）の地点を左隅とし、（東経１４６，北緯２５）の地点を右隅とする矩形領域を表している。許可領域の指定方法としては、２点だけでなく、３点以上指定してもよいし、地図上の閉領域を指定できる方法であればどのような方法でもよい。
【００３２】
本実施形態では、この許可領域で撮影された画像は、この許可領域の中にデジタルカメラ１０７が存在している時しか表示できないようにしている。例えば、領域Ａが、ある会社の敷地を表している場合、その会社の敷地で撮影した画像は、その敷地内にデジタルカメラ１０７が存在する場合は表示できるが、その敷地外にデジタルカメラ１０７が持ち出された場合には、表示できなくなる。
【００３３】
図４は、画像を退避または復帰させる処理手順の一例を示すフローチャートである。なお、図４に示す各処理は、システム制御回路５０の制御により行われ、所定の時間毎に行われる。
まず、Ｓ４０１において、ＧＰＳユニット３３によりＧＰＳアンテナ３４からＧＰＳ情報を受信し、現在の位置を検出する。そして、Ｓ４０２において、システム制御回路５０は、現在の位置が図３のＳ３０２により不揮発性メモリ５６に記憶された領域情報に示す許可領域の外に出たか否かを判断する。具体的には、システム制御回路５０は、前回受信した位置が許可領域内であり、今回受信した位置が許可領域外である場合は、許可領域の外に出たと判断する。なお、前回受信したＧＰＳ情報は、記録媒体９０に記録され、ＧＰＳ情報を受信するたびに更新する。
【００３４】
Ｓ４０２の判断の結果、現在の位置が許可領域外に出た場合はＳ４０３に進み、そうでない場合はＳ４０６に進む。そして、Ｓ４０３において、システム制御回路５０は、その領域内で撮影して得られた画像データが記録媒体９０に記録されているか否かを判断する。具体的には、システム制御回路５０は、記録媒体９０に記録されている画像データのヘッダに撮影情報として格納された位置情報と、許可領域の位置情報とを比較する。
【００３５】
Ｓ４０３の判断の結果、許可領域内で撮影して得られた画像データが記録媒体９０に記録されていない場合は、Ｓ４０６に進む。一方、許可領域内で撮影して得られた画像データが記録媒体９０に記録されている場合は、Ｓ４０４において、システム制御回路５０は、該当する画像データを記録媒体９０から読み出し、第１のメモリ３０に格納する。そして、第１のメモリ３０に格納した画像データをコピーして、通信部５７を介してサーバーに送信する。そして、Ｓ４０５において、システム制御回路５０は、その画像データを記録媒体９０から削除する。このように本実施形態では、会社の敷地など、特定の領域内で撮影した機密性の高い画像をデジタルカメラ１０７に保持したまま不用意に持ち出すことを防ぐことができる。
【００３６】
次に、Ｓ４０６において、システム制御回路５０は、Ｓ４０１で取得したＧＰＳ情報をもとに、許可領域内に入ったか否かを判断する。具体的には、システム制御回路５０は、前回受信した位置が許可領域外であり、今回受信した位置が領域内である場合は、領域内に入ったと判断する。
【００３７】
Ｓ４０６の判断の結果、現在の位置が許可領域内に入った場合はＳ４０７に進み、そうでない場合は処理を終了する。そして、Ｓ４０７において、システム制御回路５０は、許可領域内で撮影された画像を保持しているか否かを確認する指示を、通信部５７を介してサーバーに送信する。そして、サーバーから許可領域内で撮影された画像を保持している旨の通知を、通信部５７を介して受信したか否かを判断する。
【００３８】
この判断の結果、許可領域内で撮影された画像を保持している旨の通知を受信していない場合はそのまま処理を終了し、許可領域内で撮影された画像を保持している旨の通知を受信した場合はＳ４０８に進む。そして、Ｓ４０８において、システム制御回路５０は、該当する画像データをコピーしてデジタルカメラ１０７に送信するようサーバーに指示を送る。そして、その画像データを通信部５７から受信し、記録媒体９０に記録する。
【００３９】
次に、Ｓ４０９において、システム制御回路５０は、その画像データを削除するようサーバーに指示を送り、処理を終了する。このように本実施形態では、会社の敷地などの特定の許可領域に戻った場合に、その許可領域で撮影された画像はデジタルカメラ１０７に戻るので、その会社の中でその画像を用いて作業等を行うことができる。
【００４０】
なお、本実施形態では、画像の表示を許可する許可領域を指定した例について説明したが、逆に、画像の表示を禁止する禁止領域を指定してもよい。この場合、禁止領域に入ったときに、その禁止領域内で撮影した画像がある場合は、その画像をデジタルカメラからサーバーにコピーして、デジタルカメラからその画像を削除する。一方、禁止領域から出た場合は、その禁止領域内で撮影した画像がある場合は、その画像をサーバーからデジタルカメラに転送し、サーバーからその画像を削除するよう指示する。これにより、撮影した場所を含む近傍の領域では、その画像の表示を禁止することができる。
【００４１】
（第２の実施形態）
本実施形態では、画像の表示を許可する許可領域を画像ごとに設定した場合の例について説明する。なお、本実施形態に係るデジタルカメラの構成については第１の実施形態で説明した図１に示すものと同様であるため、説明は省略する。
【００４２】
図５は、画像の表示を許可する許可領域を画像ごとに指定する手順の一例を示すフローチャートである。
まず、図５のＳ５０１において、システム制御回路５０は、不揮発性メモリ５６に格納されている地図データを読み出し、その地図を画像表示部２８に表示する。
【００４３】
そして、Ｓ５０２において、システム制御回路５０は、記録媒体９０に記録されている画像データからサムネイル画像を生成して、画像表示部２８に一覧表示する。これによりユーザは、表示された画像の中から、特定の領域でのみ表示したい画像を選択し、地図上でその領域を選択することができる。表示の許可領域を選択するときは、操作部７０を用いて、例えば地図上を矩形などにより許可範囲を指定する。
【００４４】
次に、Ｓ５０３において、システム制御回路５０は、操作部７０を介して指示された領域情報をその画像と関連付けて不揮発性メモリ５６に記憶する。
【００４５】
図６は、図５のＳ５０３の処理により記憶される領域情報の一例を示す図である。
図６において、画像名６０１には画像の名称を表しているが、画像を一意に特定する情報であれば、ファイル名でもよいし、ＩＤでもよい。領域７０２は、その画像と関連付けて保存されている許可領域を表す。図６に示す例では、画像Ａは、（東経１２０，北緯４５）の地点を左隅とし、（東経１３０，北緯４０）の地点を右隅とする矩形の領域で表示が許可されていることを表している。同様に、画像Ｂは、（東経１４５，北緯３０）の地点を左隅とし、（東経１４６，北緯２５）の地点を右隅とする矩形の領域で表示が許可されていることを表している。なお、第１の実施形態と同様に、地図上の閉領域を指定できる方法であればどのような方法でもよい。
【００４６】
図７は、画像を退避または復帰させる処理手順の一例を示すフローチャートである。なお、図７に示す各処理は、システム制御回路５０の制御により行われ、所定の時間毎に行われる。
まず、Ｓ７０１において、ＧＰＳユニット３３によりＧＰＳアンテナ３４からＧＰＳ情報を受信し、現在の位置を検出する。そして、Ｓ７０２において、システム制御回路５０は、Ｓ５０３で不揮発性メモリ５６に記憶された領域情報を画像ごとに調べ、許可領域外に出た画像が存在するか否かを判断する。具体的には、システム制御回路５０は、前回受信した位置が許可領域内であり、今回受信した位置が許可領域外である場合は、許可領域の外に出たと判断する。また、前回受信したＧＰＳ情報は、第１の実施形態と同様に記録媒体９０に記録され、ＧＰＳ情報を受信するたびに更新する。
【００４７】
Ｓ７０２の判断の結果、許可領域外に出た画像が存在する場合はＳ７０３に進み、許可領域外に出た画像が存在しない場合はＳ７０５に進む。Ｓ７０３及びＳ７０４はそれぞれ、図４のＳ４０４及びＳ４０５と同様である。なお、Ｓ７０４では、さらにその画像がサーバーにある旨を図７に示す領域情報に付加し、デジタルカメラ１０７からその画像が削除されているが、その画像を特定できるようにしておく。
【００４８】
次に、Ｓ７０５において、システム制御回路５０は、Ｓ７０１で取得したＧＰＳ情報をもとに、Ｓ５０３で不揮発性メモリ５６に記憶された領域情報を画像ごとに調べ、許可領域内に入った画像が存在するか否かを判断する。具体的には、システム制御回路５０は、前回受信した位置が許可領域外であり、今回受信した位置が許可領域内である場合は、許可領域内に入ったと判断する。
【００４９】
Ｓ７０５の判断の結果、許可領域内に入った画像が存在しない場合はそのまま処理を終了し、許可領域内に入った画像が存在する場合はＳ７０６に進む。Ｓ７０６及びＳ７０７はそれぞれ、図４のＳ４０８及びＳ４０９と同様である。
【００５０】
以上のように本実施形態においては、画像ごとに表示を許可する許可領域の情報を関連付けて記憶するため、ユーザは画像ごとに表示したい領域を指定することができる。なお、その画像の撮影した場所に関係なく、領域を指定することもできる。例えば、特定の取引先の会社で特定の画像を表示したい場合は、その取引先の会社の敷地を許可領域として指定することにより、その会社の敷地から出ればその画像はデジタルカメラ１０７から削除される。そして、会社の敷地に入った場合にその画像はデジタルカメラ１０７にサーバーからコピーされることになる。
【００５１】
なお、第１の実施形態と同様に、画像の表示を禁止する禁止領域を画像ごとに指定してもよい。この場合は、禁止領域に入った画像が存在する場合は、その画像をデジタルカメラからサーバーにコピーして、デジタルカメラカメラからはその画像を削除する。一方、禁止領域から出た画像が存在する場合は、その画像をサーバーからデジタルカメラに転送して、サーバーからその画像を削除するよう指示する。これにより、特定の場所においてその画像を表示することを禁止することができる。
【００５２】
（第３の実施形態）
本実施形態では、撮影した場所から所定の距離以上に離れた場合に、画像をサーバーにコピーする例について説明する。なお、本実施形態に係るデジタルカメラの構成については第１の実施形態で説明した図１に示すものと同様であるため、説明は省略する。
【００５３】
図８は、画像を退避または復帰させる処理手順の一例を示すフローチャートである。なお、図８に示す各処理は、システム制御回路５０の制御により行われ、所定の時間毎に行われる。
Ｓ８０１において、ＧＰＳユニット３３によりＧＰＳアンテナ３４からＧＰＳ情報を受信し、現在の位置を検出する。そして、Ｓ８０２において、撮影した場所から所定の距離以上に離れた画像が存在するか否かを判断する。具体的には、システム制御回路５０は、記録媒体９０に記録されている画像データのヘッダに撮影情報として付加されている撮影位置と、Ｓ８０１で検出した現在の位置との距離を、画像ごとに計算する。一方、ユーザにより操作部７０から数値が入力され、システム制御回路５０は、表示を許可する距離としてその数値を不揮発性メモリ５６に予め記憶している。そして、計算した距離と、ユーザが予め設定した距離とを比較する。
【００５４】
Ｓ８０２の判断の結果、撮影した場所から所定の距離以上に離れた画像が存在しない場合はＳ８０５に進み、撮影した場所から所定の距離以上に離れた画像が存在する場合はＳ８０３に進む。Ｓ８０３及びＳ８０４はそれぞれ、図４のＳ４０４及びＳ４０５と同様である。
【００５５】
次に、Ｓ８０５において、システム制御回路５０は、過去に送信した画像データのヘッダに付加されている撮影情報をサーバーに要求する。そして、通信部５７を介して撮影情報を受信し、サーバーにコピーして送信した画像の中に、撮影した場所から所定の距離以内に近づいた画像が存在するか否かを判断する。具体的には、システム制御回路５０は、画像データのヘッダに撮影情報として付加されている撮影位置と、現在の位置との間の距離を計算する。そして、前述したユーザが予め設定した距離と比較する。
【００５６】
Ｓ８０５の判断の結果、撮影した場所から所定の距離以内に近づいた画像が存在しない場合はそのまま処理を終了し、撮影した場所から所定の距離以内に近づいた画像が存在する場合はＳ８０６に進む。Ｓ８０６及びＳ８０７はそれぞれ、図４のＳ４０８及びＳ４０９と同様である。
【００５７】
以上のように本実施形態によれば、ユーザは距離を指定するだけで、撮影場所から所定の距離以上に離れた画像については、サーバーにコピーして転送され、デジタルカメラからその画像が削除される。逆に、所定の距離以内に近づくと、その画像がサーバーから転送される。これにより、現在のデジタルカメラの位置の近くで撮影した画像だけがデジタルカメラに存在するようになり、許可領域または禁止領域を厳密に定義しなくても、所定の領域で撮影した画像がその領域の近傍でのみ存在するようになる。
【００５８】
なお、本実施形態では、ユーザにより予め１つの距離を設定する例について説明したが、第２の実施形態と同様に画像ごと距離を設定し、画像によって距離を変えるようにしてもよい。この場合は、機密性の高い画像は距離を短く設定し、機密性がそれほど高くない画像は距離を長くして、表示許可領域を画像ごとに変えることができる。
【００５９】
また、本実施形態では、撮影場所から所定の距離以上離れた場合に画像をサーバーにコピーして送信し、所定の距離以内に近づいたら画像をサーバーから転送するようにした。一方、逆に、撮影場所から所定の距離以内に近づいたら画像をサーバーにコピーして送信し、所定の距離以上離れたら画像をサーバーから転送するようにしてもよい。
【００６０】
（第４の実施形態）
本実施形態では、所定の信号を受信した時に、該当する画像データを転送して削除したり、該当する画像データを受信して記録したりする例について説明する。なお、本実施形態に係るデジタルカメラの構成については第１の実施形態で説明した図１に示すものと同様であるため、説明は省略する。
【００６１】
図９は、デジタルカメラ１０７が退避領域指定信号を受信したときの動作手順の一例を示すフローチャートである。ここで、退避領域指定信号とは、デジタルカメラ１０７に対して画像データをサーバーに退避させることを指定する信号であり、どの領域で撮影された画像を退避させるかを示す退避領域情報とともに送られる。この退避領域指定信号を送る装置は、接触型あるいは非接触型の無線装置であってもよいし、赤外線送信装置などでもよい。
【００６２】
まず、Ｓ９０１において、通信部５７により、退避領域指定信号を受信する。そして、Ｓ９０２において、システム制御回路５０は、退避領域指定信号とともに受信した退避領域情報を参照し、該当する画像データが記録媒体９０に記録されているか否かを判断する。具体的には、記録媒体９０に記録されている画像データのヘッダに撮影情報として付加されている位置情報と退避領域情報とを比較する。
【００６３】
Ｓ９０２の判断の結果、該当する画像データが記録されている場合はＳ９０３に進み、該当する画像データが記録されていない場合はそのまま処理を終了する。Ｓ９０３及びＳ９０４はそれぞれ、図４のＳ４０４及びＳ４０５と同様である。
【００６４】
図１０は、デジタルカメラ１０７が復帰領域指定信号を受信したときの動作手順の一例を示すフローチャートである。ここで、復帰領域指定信号とは、デジタルカメラ１０７に対して画像データをサーバーからデジタルカメラ１０７に復帰させることを指定する信号であり、どの領域で撮影された画像を復帰させるかを示す復帰領域情報とともに送られる。この復帰領域指定信号を送る装置は、接触型あるいは非接触型の無線装置であってもよいし、赤外線送信装置などでもよい。
【００６５】
まず、Ｓ１００１において、通信部５７により、復帰領域指定信号を受信する。そして、Ｓ１００２において、システム制御回路５０は、過去に送信した画像データのヘッダに付加されている撮影情報をサーバーに要求し、通信部５７を介して撮影情報を受信する。そして、復帰領域指定信号とともに送られてきた復帰領域情報を参照し、サーバーに送信した画像の中に復帰させる画像が存在するか否かを判断する。
【００６６】
Ｓ１００２の判断の結果、対象となる画像が存在しない場合はそのまま処理を終了し、対象となる画像が存在する場合はＳ１００３に進む。Ｓ１００３及びＳ１００４はそれぞれ、図４のＳ４０８及びＳ４０９と同様である。
【００６７】
以上のように本実施形態によれば、ＧＰＳ情報を受信する代わりに、画像をサーバーに退避させたり、サーバーから復帰させたりするための信号を受信する。これにより、例えば会社などの敷地の出入り口にこれらの信号を送出する装置を設けた場合に、その敷地を出たときに画像をサーバーに退避させてデジタルカメラからその画像を削除することができる。また、敷地内に戻ってきたときは、画像をデジタルカメラに復帰させることもできる。さらに、ＧＰＳ衛星が捕捉できないときなどでも、画像を敷地外に持ち出すことを防ぐことができる。なお、本実施形態では、退避領域指定信号と復帰領域指定信号とで別々の信号として取り扱っているが、これらの信号を１つの信号としてもよい。
【００６８】
（その他の実施形態）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００６９】
３３  ＧＰＳユニット
５０  システム制御回路
【図１】
2013046284.tif 000003
【図２】
2013046284.tif 000004
【図３】
2013046284.tif 000005
【図４】
2013046284.tif 000006
【図５】
2013046284.tif 000007
【図６】
2013046284.tif 000008
【図７】
2013046284.tif 000009
【図８】
2013046284.tif 000010
【図９】
2013046284.tif 000011
【図１０】
2013046284.tif 000012